(57)【要約】 【課題】  肛門部を傷つけることがなく、肛門部から生じる体液を吸収するのに適した簡易なパッドを提供する。【解決手段】  この痔疾患用パッド１は、表面が平坦で縦長長方形である。この痔疾患用パッド１の構造は、内層から、縦長吸水紙３、縦長吸水紙３を囲繞する縦長吸水パルプ４、縦長吸水パルプ４を囲繞する縦長下敷き紙５、縦長下敷き紙５の裏面に当接されている縦長合成樹脂製フィルム６及び前四者を囲繞する縦長外層不織布２の順で構成されてなる。縦長吸水紙３、縦長吸水パルプ４、縦長下敷き紙５及び縦長外層不織布２は、いずれも、折り重ねられて形成されている。縦長合成樹脂製フィルム６は、折り重ねられることなく、単に挿入されてなる。【選択図】  図２
0003202346.tif 000002
【実用新案登録請求の範囲】
【請求項１】
表面が平坦な縦長長方形の痔疾患用パッドであって、
内層から、
横長長方形の易水溶性薄葉紙の左右端辺が中央に向けて裏面側に折り重ねられた縦長吸水紙、
該吸水紙が囲繞されると共に、横長長方形の粉砕パルプフリースの左右端辺が中央に向けて該裏面側に折り重ねられた縦長吸水パルプ、
該吸水パルプが囲繞されると共に、横長長方形の易水溶性薄葉紙の左右端辺が重なるように中央に向けて該裏面側に折り重ねられた縦長下敷き紙、
該下敷き紙の左右端辺が折り重ねられた面に当接された縦長合成樹脂製フィルム及び
前記四者が囲繞されると共に、横長長方形の親水性不織布の左右端辺が重なるように中央に向けて該裏面側に折り重ねられた縦長外層不織布
の順で構成されてなる痔疾患用パッド。
【請求項２】
易水溶性薄葉紙がトイレットペーパーである請求項１記載の痔疾患用パッド。
【請求項３】
外層不織布の左右端辺が折り重ねられている裏面に、下着に貼着するための粘着シートが設けられている請求項１記載の痔疾患用パッド。
【請求項４】
合成樹脂製フィルムはポリビニルアルコールフィルムであり、親水性不織布は、レーヨン繊維、パルプ繊維、ポリプロピレン繊維及びポリエステル繊維を構成繊維とすると共に該構成繊維相互間がポリビニルアルコール樹脂で結合されている請求項１記載の痔疾患用パッド。
【請求項５】
縦長合成樹脂製フィルム及び縦長外層不織布の上端辺及び下端辺が圧接されて封されている請求項１記載の痔疾患用パッド。
【請求項６】
圧接が、縦長外層不織布中のポリプロピレン繊維の融着によってなされている請求項５記載の痔疾患用パッド。
【請求項７】
縦長合成樹脂製フィルムと縦長外層不織布の間に色糸が縦長方向に挿入されており、該色糸は、上端辺及び下端辺で該縦長合成樹脂製フィルム及び縦長外層不織布と共に圧接されて固定されている請求項５記載の痔疾用パッド。
【考案の詳細な説明】
【技術分野】
【０００１】
本考案は、痔疾患によって肛門部から生じる血液等の体液を吸収するためのパッドに関し、特に、痔疾患の手術後に生じる肛門部からの体液を吸収して、下着を汚さないようにするための痔疾患用パッドに関するものである。
【背景技術】
【０００２】
痔疾患で肛門部から生じる血液等の体液によって、下着を汚さないようにするため、従来よりガーゼや脱脂綿を肛門部に当てることが行われている。しかし、ガーゼや脱脂綿では、体液が透過してしまい、下着を汚してしまうということがあった。このため、生理用ナプキンを転用して、これを肛門部に当てることも行われている。しかしながら、生理用ナプキンは大量の血液を吸収するためのものであるから、嵩高すぎて着用時に違和感を生じると共に、痔疾患による体液吸収のためには過剰品質であるという欠点があった。
【０００３】
かかる事情から、痔疾患に適したパッドとして、紙で成型された畝状突起部と、この畝状突起部を被覆する吸水ポリマー層と、畝状突起部の下面に形成された粘着層とからなるものが提案されている（特許文献１）。しかしながら、かかるパッドは、畝状突起部が肛門部を押圧するために、特に痔疾患の手術後においては肛門部を傷つけるということがあった。また、紙を畝状に成型することは困難で、生産性に劣るという欠点があった。
【０００４】
【特許文献１】特開２００７−１９５８３９号公報（図１及び段落００１９）
【考案の概要】
【考案が解決しようとする課題】
【０００５】
本考案の課題は、肛門部を傷つけることがなく、肛門部から生じる体液を吸収するのに適した簡易なパッドを提供することにある。
【課題を解決するための手段】
【０００６】
本考案は、簡易な構造とすることにより、上記課題を解決したものである。すなわち、本考案は、表面が平坦な縦長長方形の痔疾患用パッド１であって、内層から、横長長方形の易水溶性薄葉紙の左右端辺が中央に向けて裏面側に折り重ねられた縦長吸水紙３、該吸水紙３が囲繞されると共に、横長長方形の粉砕パルプフリースの左右端辺が中央に向けて該裏面側に折り重ねられた縦長吸水パルプ４、該吸水パルプ４が囲繞されると共に、横長長方形の易水溶性薄葉紙の左右端辺が重なるように中央に向けて該裏面側に折り重ねられた縦長下敷き紙５、該下敷き紙５の左右端辺が折り重ねられた面に当接された縦長合成樹脂製フィルム６及び前記四者が囲繞されると共に、横長長方形の親水性不織布の左右端辺が重なるように中央に向けて裏面側に折り重ねられた縦長外層不織布２の順で構成されてなる痔疾患用パッド１に関するものである。
【０００７】
本考案に係る痔疾患用パッド１の形状は、図１に示すとおりであって、表面が平坦な縦長長方形となっている。表面が平坦であるのは、表面側に折り返しや重なり合いがないからである。痔疾患用パッド１の表面は、親水性不織布よりなる縦長外層不織布２で構成されている。縦長外層不織布２は、縦長吸水紙３、縦長吸水パルプ４、縦長下敷き紙５及び合成樹脂製フィルム６を囲繞しているので、痔疾患用パッド１の裏面も、縦長外層不織布２よりなる。縦長外層不織布２は、横長長方形の親水性不織布の左右端辺が重なるように中央に向けて裏面側に折り重ねられてなる。
【０００８】
縦長吸水紙３は、横長長方形の易水溶性薄葉紙の左右端辺が中央に向けて裏面側に折り重ねられてなる。易水溶性薄葉紙としては、一般に市販されているトイレットペーパーを用いるのが便宜である。この縦長吸水紙３を囲繞するようにして、縦長吸水パルプ４が設けられている。縦長吸水パルプ４は、粉砕パルプフリースの左右端辺が中央に向けて裏面側に折り重ねられてなる。粉砕パルプフリースは、パルプシートを粉砕機で開繊して得られたパルプ繊維を堆積し、その厚さを５ｍｍ以下程度に圧縮したものである。かかる粉砕パルプフリースは、パルプ繊維相互間に体液を保持しうるものである。
【０００９】
この縦長吸水パルプ４を囲繞するようにして、縦長下敷き紙５が設けられている。縦長下敷き紙５は、横長長方形の易水溶性薄葉紙の左右端辺が重なるように中央に向けて裏面側に折り重ねられてなる。易水溶性薄葉紙としては、一般に市販されているトイレットペーパーを用いるのが便宜である。この下敷き紙５の左右端辺が折り重ねられた面には、縦長合成樹脂製フィルム６が当接されている。この合成樹脂製フィルム６は折り重ねられずに、単に当接されているだけである。合成樹脂製フィルム６は体液が裏面側に漏出するのを防止するためのものであるが、痔疾患による体液の量は少ないので、薄手のものが単に当接されているだけで十分である。合成樹脂製フィルムとしては、従来公知のものが用いられるが、特にポリビニルアルコール製フィルムを用いるのが好ましい。
【００１０】
縦長外層不織布２は、親水性不織布で形成されるものである。親水性不織布としては、レーヨン繊維、コットン繊維及び／又はパルプ繊維で構成されているものを用いることができる。特に、本考案においは、レーヨン繊維及びパルプ繊維を用いると共に、若干量のポリプロピレン繊維を混入しておくのが好ましい。さらに、これらの構成繊維相互間がポリビニルアルコール樹脂で結合されているものを採用するのが好ましい。縦長外層不織布２の好適な製造方法としては、ポリビニルアルコール樹脂を溶解させた水溶液中に、パルプ繊維、レーヨン繊維及び若干量のポリエステル繊維とポリプロピレン繊維を懸濁させたスラリーを抄紙する方法が挙げられる。すなわち、縦長外層不織布２としては、湿式不織布を採用するのが好ましいのである。なお、結合剤としてはポリビニルアルコールを用いるのは、不織布の親水性を向上させるためである。また、ポリプロピレン繊維やポリエステル繊維等の熱可塑性繊維を混入させるのは、縦長痔疾患用パッドの上端辺及び下端辺を熱融着し圧接して封しやすくするためである。
【００１１】
縦長痔疾患用パッド１の上端辺及び下端辺の圧接は、図１に示すとおり、圧接部８を部分的に設けるのが好ましい。上端辺及び下端辺の全体を圧接すると、当該端辺が硬くなり、尻に当たったときに違和感を生じる恐れがある。圧接部８は、縦長外層不織布２を構成している親水性不織布中のポリプロピレン繊維を溶融又は軟化させて、縦長外層不織布２の表裏の上端辺及び下端辺と、縦長合成樹脂製フィルム６の上端辺及び下端辺を融着接合させてなるものである。この際、縦長吸水紙３、縦長吸水パルプ４及び縦長下敷き紙５の上端辺及び下端辺は、圧接されていないのが好ましい。これらも圧接すると、痔疾患用パッド１の上端辺及び下端辺が厚くなって硬くなりやすく、尻に当たったときに違和感を生じる恐れがある。
【００１２】
また、縦長合成樹脂製フィルム６と縦長外層不織布２の間に色糸９を縦長方向に挿入しておくのが好ましい。色糸９は略中央に挿入され、縦長外層不織布２を通して視認することができる。したがって、色糸９を視認する面が縦長痔疾患用パッド１の裏面となり、縦長痔疾患用パッド１の表裏を間違って用いることを防止しうる。この色糸９は、縦長合成樹脂製フィルム６と縦長外層不織布２と共に、その上端辺及び下端辺で圧接され固定されているのが好ましい。固定されていないと、色糸９が中央からずれて視認しにくくなるからである。なお、色糸９としては、青色等に染色された紡績糸等の任意の着色糸を用いることができる。さらに、痔疾患用パッド１の裏面には、粘着シート７を設けておくのが好ましい。粘着シート７によって、容易に下着に貼着しうるからである。粘着シート７としては、両面粘着シートを用いるのが好ましく、片面の粘着剤が痔疾患用パッド１の裏面に貼着され、他面の粘着剤が下着に貼着されるのである。なお、他面の粘着剤上には離型紙を積層しておき、使用時に離型紙を剥離して、下着に貼着するのが好ましい。
【００１３】
本考案に係る痔疾患用パッド１は、痔疾患の手術後に、肛門部に当てて用いる。また、痔疾患の手術後だけでなく、手術前においてはもちろん、痔疾患に苦しむ患者の日常生活においても用いることができる。
【考案の効果】
【００１４】
本考案に係る痔疾用パッドは、易水溶性薄葉紙、吸水パルプ、合成樹脂製フィルム及び親水性不織布を用いて得られるものである。すなわち、生理用ナプキンや紙おむつに使用されている高吸水性ポリマーを使用していないので、簡単に得られる。また、これらの材料を折り重ねたり、挿入したりするだけで、特殊な成型は行わないので、表面が平坦な痔疾患用パッドを簡単に得られる。よって、肛門部を傷つけることがなく、肛門部から生じる体液を吸収するのに適したパッドが、簡単に得られるという効果を奏する。
【図面の簡単な説明】
【００１５】
【図１】本考案の一例に係る痔疾患用パッドの表面図である。
【図２】本考案の一例に係る痔疾患用パッドの模式的横断面図である。
【図３】本考案に一例に係る痔疾患用パッドの模式的縦断面図である。なお、図２及び図３において、各層間に間隔が設けられているが、これは分かりやすくするために設けたものであり、現実の製品には、このような間隔は殆ど生じていない。
【符号の説明】
【００１６】
１    痔疾患用パッド
２    縦長外層不織布
３    縦長吸水紙
４    縦長吸水パルプ
５    縦長下敷き紙
６    縦長合成樹脂製フィルム
７    粘着シート
８    圧接部
９    色糸
【図１】
0003202346.tif 000003
【図２】
0003202346.tif 000004
【図３】
0003202346.tif 000005